(57)【要約】【課題】小さな飛虫を効果的に捕獲・除去し、食物や生ゴミにたかっている小さな飛虫、或いは室内で飛んでいる小さな飛虫をなくし、新たな発生を防ぐ。【解決手段】カップ状の本体の内側に虫が捕らえられる程度の粘着力を有する粘着材を設けてなる捕虫具を排水口の上に被せ、排水口から這い出してきて羽化した虫を該粘着材の表面に粘着・固定するようにした。前記本体は透明又は半透明なプラスチックで形成するのが好ましく、またその開口部は少なくとも排水口の全体を被覆できる程度の大きさを備えているのが好ましい。【選択図】図１
2006025634.tif 000002
【特許請求の範囲】
【請求項１】
カップ状の本体と、該本体の内側に設けられた粘着材とを備え、該粘着材の表面は少なくとも虫が捕らえられる程度の粘着性を有していることを特徴とする捕虫具。
【請求項２】
カップ状の本体と、チューブ入り粘着材とを備えたことを特徴とする捕虫具セット。
【発明の詳細な説明】
【技術分野】
【０００１】
本発明は、風呂場、洗面所等の排水口から発生する小さな虫（飛虫）を発生源で捕らえたり、家の中を飛んでいる蠅、蚊、その他の飛虫を殺虫剤を使わずに捕獲するのに好適な捕虫具に関するものである。
【背景技術】
【０００２】
気温が高くなるにつれて、家の中を蠅、蚊その他の飛虫が飛んでいたり、食べ物の周囲を蠅その他の飛虫が飛んでいたり、食べ物の表面に蠅その他の飛虫が取り付いていることが有る。また、台所やゴミ置き場の生ゴミの周囲に蠅その他の飛虫が飛んでいたり、生ゴミの表面に蠅その他の飛虫が沢山取り付いていたりすることが有る。
【０００３】
家の中で蠅、蚊その他の飛虫が飛んでいるのはうるさいし、食べ物の表面に蠅その他の飛虫が取り付いているのは非衛生的であり、また、気持ちが悪い。生ゴミの周囲に沢山の蠅その他の飛虫が飛んでいたり、生ゴミの表面に沢山の蠅その他の飛虫が取り付いているのを見るのは気持ちが悪い。そのままにしておくと、蠅、蚊その他の飛虫が大量に繁殖して、益々不衛生になる心配がある。
【０００４】
そこで、従来は、蠅、蚊その他の飛虫が室内を飛んでいたり、生ゴミにたかっている場合は、蠅、蚊その他の飛虫に殺虫剤をかけてこれらの虫を殺していた。
【０００５】
しかし、蠅、蚊その他の飛虫が食物の近くにいる場合は、食物に殺虫剤がかかるおそれがあるので、殺虫剤をかける方法で蠅、蚊その他の飛虫を駆除することはできなかった。
【０００６】
また、最近の家屋やマンションは密閉性が高く、室内で殺虫剤を噴射させた場合は室内に殺虫剤がこもり、この殺虫剤が人間の身体に悪影響を及ぼすことがあるのではないかという不安から、室内での殺虫剤の使用にはかなりの抵抗感が有った。
【０００７】
粘着材を塗布したものを部屋の中の空間に吊したり、部屋の隅や家具の下に置いたりして蠅、蚊その他の飛虫を捕るようにすれば殺虫剤によるこのような心配はない。
【特許文献１】特開平９−１４３４４３号公報
【特許文献２】特開平５−３３１０１４号公報
【発明の開示】
【発明が解決しようとする課題】
【０００８】
しかし、粘着材を用いて飛虫を捕獲する場合は、部屋毎に捕虫具を吊したり、置いたりしなければならず、見苦しいし、邪魔であり、また捕獲の効率も悪い。
【０００９】
本発明者は蠅、蚊その他の飛虫がどこからやってくるかを鋭意研究した結果、小さな飛虫が風呂場、台所、洗面所の排水口からやってくることを発見した。そして、小さな飛虫の発生源である風呂場、台所、洗面所の排水口で虫を捕獲すればこのような問題を効果的に解決できると考えて本願のような捕虫具を発明した。
【課題を解決するための手段】
【００１０】
本発明に係る捕虫具は、カップ状の本体と、該本体の内側に設けられた粘着材とを備え、該粘着材の表面は少なくとも虫が捕らえられる程度の粘着性を有していることを特徴とするものである。
【００１１】
ここで、前記本体は少なくとも排水口の全体を上から被覆できる程度の大きさの開口部を備えているものが好ましい。前記本体はプラスチックで新規に作ってもよいし、廃プラスチック容器を使用してもよい。プラスチックとしては透明なものが好ましいが、半透明又は不透明なものでもよい。
【００１２】
前記粘着材は前記本体の側部及び／又は底部に設けてもよいし、内部空間に突出するように設けてもよい。前記粘着材は面状に設けてもよいし、筋状に設けてもよいし、網状に設けてもよい。粘着材は前記本体の内側に直接設けてもよいし、シート状の基材を介して設けてもよい。
【００１３】
粘着材の表面には粘着材の粘着力を保護するために保護シートを被覆しておいて、使用する時に保護シートを剥がすようにしてもよい。また、内部の粘着材を保護するために開口部に蓋をし、使用する時には蓋を剥がして使用するようにしてもよい。
【００１４】
粘着材の表面の粘着力は強いに越したことはないが、少なくとも虫が捕らえられて、逃げられない程度の粘着力が必要である。また、前記粘着材としては虫を誘引する物質を含有したものを使用してもよい。
【００１５】
また、この発明に係る捕虫具セットは、カップ状の本体と、チューブ入り粘着材とを備えたことを特徴とするものである。ここで、この捕虫具セットには使用説明書を同梱しておくのが好ましい。また、前記本体及び前記粘着材としては上述したものと同様のものを使用することができる。
【発明の効果】
【００１６】
本発明の捕虫具は、排水口に被せて置いておくだけで排水口から這い出してくる飛虫を一網打尽に捕獲できるので、室内で飛ぶ可能性の高い飛虫を簡単且つ効率良く捕獲することが出来るという効果がある。
【００１７】
また、本発明の捕虫具は、不衛生な排水口から発生する汚い飛虫を食物や人に接触させる前に捕獲することができるので、家の中を極めて衛生的に保つことができるという効果がある。
【００１８】
また、本発明の捕虫具は、排水口に被せて置いておくだけで室内で飛ぶ可能性の高い小さな虫を一網打尽に捕獲できるので、小さな虫が室内で飛ばなくなり、従って、小さな虫が室内を飛ぶことによるうっとおしさを解消することができるという効果がある。
【００１９】
また、本発明の捕虫具は、排水口全体を覆って排水口から臭い空気が流れ出難くするので、室内が排水口の臭いで臭くなるのを防止することができるという効果がある。
【００２０】
また、本発明の捕虫具は、捕虫後、容器ごと捨てることができるので、衛生的であるという効果がある。
【００２１】
本発明の捕虫具は、粘着材としてシート状のものを使用する場合は、捕虫具の製造が容易になり、低コストで捕虫具を製造することができるという効果がある。
【００２２】
本発明の捕虫具は、粘着材を容器の内側の空間に突出させておいた場合は、該容器内において飛虫を短時間に固定することができるという効果がある。
【００２３】
本発明の捕虫具は、透明な容器を使用した場合は、虫の捕獲を外から目視で確認することができるという効果がある。
【００２４】
本発明の捕虫具は、透明な容器を使用した場合は、側方又は上方が明るいので、飛虫が容器と排水口の隙間から逃げることなく容器の側方又は上方に誘導され、排水口から這い出してくる全ての虫を効率よく捕獲することができるという効果がある。
【００２５】
本発明の捕虫具は、捕虫具本体としてゼリー等の食品の廃カップを使用した場合は、石油資源のリサイクルになり、石油資源を有効に利用することが出来るという効果がある。
【発明を実施するための最良の形態】
【００２６】
小さな飛虫を効果的に捕獲・除去し、食物や生ゴミにたかっている小さな飛虫、或いは室内で飛んでいる小さな飛虫をなくすという目的を、簡単な装置で、安全性を損なわずに実現した。
【実施例１】
【００２７】
図１は本発明に係る捕虫具の説明図、図２は本発明に係る捕虫具の断面図である。これらの図において、１０は捕虫具であり、捕虫具１０はカップ状の本体１２と、本体１２の内側に設けられた粘着材１４とからなる。
【００２８】
本体１２の開口部１２ａは後述する排水口の全体を被覆できる大きさを有している。本体１２は透明なプラスチック材料により作られている。
【００２９】
粘着材１４はシート状の基材１６を介して本体１２の底部１２ｂに設けられている。粘着材１４の表面は少なくとも虫が捕らえられる程度の粘着性を有している。本体１２の裏側には使いやすい様に取っ手１８を取り付けてもよい。
【００３０】
次に、本発明に係る捕虫具を使って排水口付近の飛虫を捕獲する場合の使用例について図３〜図５を参照しながら説明する。
【００３１】
風呂場や洗面所を使用していて、排水口２０に水が流れ込んでいるときは、水の流れのために虫は排水口２０から出てこないので、風呂場や洗面所を使用していないときに、排水口２０の上にこの捕虫具１０を被せる。
【００３２】
風呂場や洗面所を使用していないと、水が流れ込まず、水による刺激がなくなり、不衛生な排水口２０から小さな虫が発生する。排水口２０の上には捕虫具１０が被せられているので、羽化した飛虫２２は捕虫具１０の中を飛び上がり、捕虫具１０の中をランダムに飛び、粘着材１４の表面に当たった時に粘着材１４の表面に付着して捕えられる。
【００３３】
このように、捕虫具１０によれば、風呂場や洗面所を使用していないような、虫が羽化して飛び出す可能性の有る時間帯に虫を連続的に効率よく捕らえることができるので、食物や生ゴミにたかっている小さな飛虫、或いは室内で飛んでいる小さな飛虫をなくすことができることになる。
【産業上の利用可能性】
【００３４】
本発明は、風呂場や洗面所の排水口から這い出してくる飛虫を捕獲する用途だけでなく、この捕虫具を介して蚊や蠅に接近すれば、この捕虫具が陰になって、人間が蚊や蠅に接近したときに蚊や蠅に及ぼしている赤外線等の影響を少なくできるので、蚊や蠅が逃げる前に蚊や蠅にこの捕虫具を被せ、蚊や蠅を捕獲することができ、従って、壁や網戸等に止まっている蠅や蚊を捕獲する用途にも適用できる。
【図面の簡単な説明】
【００３５】
【図１】捕虫具の説明図である。
【図２】捕虫具の断面図である。
【図３】排水口に捕虫具を設置した状態を示す説明図である。
【図４】図３の部分拡大図である。
【図５】捕虫具に飛虫が捕らえられる様子を示す説明図である。
【符号の説明】
【００３６】
１０  捕虫具
１２  本体
１２ａ  開口部
１２ｂ  底部
１４  粘着材
１６  基材
１８  取っ手
２０  排水口
２２  飛虫
【図１】
2006025634.tif 000003
【図２】
2006025634.tif 000004
【図３】
2006025634.tif 000005
【図４】
2006025634.tif 000006
【図５】
2006025634.tif 000007